(57)【要約】【課題】充電時点までの放電容量に応じた充電容量での充電を行うこと。【解決手段】蓄電池１３の充電を行う充電管理システム２０において、蓄電池１３の放電容量を取得する放電容量取得部４４と、放電容量取得部４４により取得された放電容量に応じた充電容量で、蓄電池１３の充電を行う充電部４２と、を含んだことを特徴とする。【選択図】図１
2008097941.tif 000002
【特許請求の範囲】
【請求項１】
蓄電池の充電を行う充電管理システムであって、
前記蓄電池の放電容量を取得する放電容量取得部と、
前記放電容量取得部により取得された放電容量に応じた充電容量で、前記蓄電池の充電を行う充電部と、
を含むことを特徴とする充電管理システム。
【請求項２】
請求項１に記載の充電管理システムにおいて、
前記蓄電池の充電電流値を取得する充電電流値取得部と、
前記充電電流値取得部により取得された充電電流値と、前記充電部により充電が開始されてからの経過時間と、に基づき、充電容量を算出する充電容量算出部と、
をさらに含み、
前記充電部は、前記充電容量算出部により算出された充電容量と、前記放電容量取得部により取得された放電容量と、に応じたタイミングで充電を停止する、
ことを特徴とする充電管理システム。
【請求項３】
請求項１又は２に記載の充電管理システムにおいて、
前記蓄電池の放電電流値を取得する放電電流値取得部、
をさらに含み、
前記放電容量取得部は、前記放電電流値取得部により取得された放電電流値と、該放電の経過時間と、に基づき、前記放電容量の少なくとも一部を取得する、
ことを特徴とする充電管理システム。
【請求項４】
請求項１乃至３のいずれか１項に記載の充電管理システムにおいて、
前記蓄電池の平均環境温度を取得する平均環境温度取得部と、
前記平均環境温度と、前記蓄電池の所定期間あたりの自己放電容量と、を対応付けて記憶する記憶部と、
をさらに含み、
前記放電容量取得部は、前記平均環境温度取得部により取得した平均環境温度と、該平均環境温度に対応付けて前記記憶部に記憶される自己放電容量と、に基づき、前記放電容量の少なくとも一部を取得する、
ことを特徴とする充電管理システム。
【請求項５】
請求項１乃至４のいずれか１項に記載の充電管理システムにおいて、
当該充電管理システムは投光器の電源用蓄電池を充電するために用いるものである、
ことを特徴とする充電管理システム。
【請求項６】
請求項５に記載の充電管理システムにおいて、
前記電源用蓄電池はサイクル用制御弁式鉛蓄電池である、
ことを特徴とする充電管理システム。
【請求項７】
請求項１乃至６のいずれか１項に記載の充電管理システムにおいて、
前記充電部は、商用電源、太陽光発電装置、携帯用発動発電機、及び車輌電源のうちいずれか少なくとも１つによって充電を行う、
ことを特徴とする充電管理システム。
【請求項８】
請求項７に記載の充電管理システムにおいて、
前記充電部は、前記車輌電源から直流電流の供給を受けた場合には、該直流電流による充電を行う、
ことを特徴とする充電管理システム。
【請求項９】
請求項７又は８に記載の充電管理システムにおいて、
前記充電部は、前記商用電源、前記太陽光発電装置、前記携帯用発動発電機、及び前記車輌電源からそれぞれ供給される電流を受電するためのインターフェイスを有する、
ことを特徴とする充電管理システム。
【請求項１０】
請求項１乃至９のいずれか１項に記載の充電管理システムにおいて、
前記蓄電池により駆動される負荷には、携帯電話及び携帯電話不感地用通信アンテナが含まれる、
ことを特徴とする充電管理システム。
【請求項１１】
請求項１乃至１０のいずれか１項に記載の充電管理システムにおいて、
前記蓄電池の絶対容量を取得する絶対容量取得部と、
前記絶対容量取得部により取得された絶対容量と、前記放電容量取得部により取得された放電容量と、に基づき、前記蓄電池の残存容量を示す残存容量情報を表示する表示部と、
をさらに含むことを特徴とする充電管理システム。
【請求項１２】
請求項１乃至１１のいずれか１項に記載の充電管理システムにおいて、
前記充電部は、前記放電容量取得部により取得された放電容量の所定数倍を、前記充電容量とする、
ことを特徴とする充電管理システム。
【請求項１３】
請求項１２に記載の充電管理システムにおいて、
前記所定数の入力を受け付ける所定数入力受付部、
をさらに含み、
前記充電部は、前記放電容量取得部により取得された放電容量に前記所定数入力受付部により入力を受け付けた所定数を乗算してなる値を、前記充電容量とする、
ことを特徴とする充電管理システム。
【請求項１４】
蓄電池の充電を管理するための充電管理方法であって、
前記蓄電池の放電容量を取得する放電容量取得ステップと、
前記放電容量取得ステップにおいて取得された放電容量に応じた充電容量で、前記蓄電池の充電を行う充電ステップと、
を含むことを特徴とする充電管理方法。
【発明の詳細な説明】
【技術分野】
【０００１】
本発明は充電管理システム及び充電管理方法に関する。
【背景技術】
【０００２】
夜間の工事現場などで使用される投光器の電源には、従来から発電機が使用されてきた。しかし、発電機は大きな騒音を発するので、住宅地などの静粛を要する場所では使用できないという問題があった。そこで、近年は蓄電池を電源とする投光器が登場している（例えば特許文献１）。
【０００３】
蓄電池を投光器の電源として用いる場合、蓄電池の充電を行う必要があることは言うまでもない。この充電では、外部電源から供給される電圧を蓄電池の充電用電圧に変換する充電回路が用いられる。
【０００４】
ところで、蓄電池の満充電からの放電時間は、使用を続けるに従い短くなっていき、いずれ０になることが知られている。より具体的には、蓄電池の絶対容量（放電電流値と放電時間（満充電の状態から該放電電流値で放電を開始した場合に、放電電圧が所定値を下回るまでの時間）の積。）は、使用を続けるに従い減少する。未使用の状態での絶対容量は定格容量と呼ばれ、蓄電池の絶対容量が定格容量の８０％に達するまでの時間は蓄電池の寿命と呼ばれる。
【０００５】
この蓄電池の寿命は予め決まっているものではなく、使用方法によっては短縮してしまうことがある。この短縮の具体的な原因のひとつには、充電時に充電しすぎる（過充電）ことが挙げられる。充電回路には、この過充電を防止するために、蓄電池の電圧が所定の基準電圧以上に高くならないようにする過充電防止回路が備えられているものが多い。
【０００６】
特許文献２には、この過充電防止回路の例が記載されている。特許文献２の第０００４段落にも記載されているように、上記基準電圧は、充電時に蓄電池に流れる電流の値（充電電流値）や温度によって変動するものである。そこで、特許文献２では、充電電流値や温度によって上記基準電圧を変化させるようにしている。
【特許文献１】特開２００５−６３９１７号公報（要約書）
【特許文献２】特開平７−２８８９３８号公報（第０００４段落、第００１７段落、及び第００１８段落）
【発明の開示】
【発明が解決しようとする課題】
【０００７】
しかしながら、上記特許文献２に記載の過充電防止回路を搭載した充電回路によっても、必ずしも最適な充電容量で充電がなされるとは限らない。この点について、以下に説明する。
【０００８】
蓄電池の最適な充電容量は、充電時点までの放電容量（充電時点での蓄電池の絶対容量から、放電せずに残っている分（残存容量）を減算したもの）である。この放電容量を超える充電は蓄電池の寿命の短縮につながるし、放電容量に足りない充電では、本来得られるはずの放電時間が得られない。この点、上記特許文献２に記載の過充電防止回路では、蓄電池の電圧が基準電圧以上にならないようにしているに過ぎず、また基準電圧は多少の余裕をもって設定せざるを得ないことから、充電容量が放電容量に満たない場合があった。つまり、上記特許文献２に記載の過充電防止回路を搭載した充電回路では、最適な充電容量での充電が行えていなかった。
【０００９】
従って、本発明の課題の一つは、充電時点までの放電容量に応じた充電容量での充電を行うことを可能にする充電管理システム及び充電管理方法を提供することにある。
【課題を解決するための手段】
【００１０】
上記課題を解決するための本発明に係る本発明充電管理システムは、蓄電池の充電を行う充電管理システムであって、前記蓄電池の放電容量を取得する放電容量取得部と、前記放電容量取得部により取得された放電容量に応じた充電容量で、前記蓄電池の充電を行う充電部と、を含むことを特徴とする。この充電管理システムによれば、充電時点までの放電容量に応じた充電容量での充電を行うことが可能になる。
【００１１】
また、上記充電管理システムにおいて、前記蓄電池の充電電流値を取得する充電電流値取得部と、前記充電電流値取得部により取得された充電電流値と、前記充電部により充電が開始されてからの経過時間と、に基づき、充電容量を算出する充電容量算出部と、をさらに含み、前記充電部は、前記充電容量算出部により算出された充電容量と、前記放電容量取得部により取得された放電容量と、に応じたタイミングで充電を停止する、こととしてもよい。この充電管理システムによれば、蓄電池の放電容量及び充電容量に応じたタイミングで充電を停止するので、充電時点までの放電容量に応じた充電容量での充電を行うことが可能になる。
【００１２】
さらに、上記各充電管理システムにおいて、前記蓄電池の放電電流値を取得する放電電流値取得部、をさらに含み、前記放電容量取得部は、前記放電電流値取得部により取得された放電電流値と、該放電の経過時間と、に基づき、前記放電容量の少なくとも一部を取得する、こととしてもよい。この充電管理システムによれば、放電電流値に基づいて放電容量を取得することができる。
【００１３】
また、上記充電管理システムにおいて、前記蓄電池の平均環境温度を取得する平均環境温度取得部と、前記平均環境温度と、前記蓄電池の所定期間あたりの自己放電容量と、を対応付けて記憶する記憶部と、をさらに含み、前記放電容量取得部は、前記平均環境温度取得部により取得した平均環境温度と、該平均環境温度に対応付けて前記記憶部に記憶される自己放電容量と、に基づき、前記放電容量の少なくとも一部を取得する、こととしてもよい。蓄電池は自己放電を行うが、その放電量は平均環境温度によって異なるのが一般的である。上記充電管理システムによれば、平均環境温度と自己放電量とを対応付けて記憶しているので、自己放電容量に基づいて放電容量を取得することができる。
【００１４】
さらに、上記充電管理システムにおいて、当該充電管理システムは投光器の電源用蓄電池を充電するために用いるものである、こととしてもよい。これによれば、投光器の電源用蓄電池に本発明を適用することができる。
【００１５】
また、この充電管理システムにおいて、前記電源用蓄電池はサイクル用制御弁式鉛蓄電池である、こととしてもよい。これによれば、投光器の電源用として利用されるサイクル用制御弁式鉛蓄電池に本発明を適用することができる。
【００１６】
また、上記充電管理システムにおいて、前記充電部は、商用電源、太陽光発電装置、携帯用発動発電機、及び車輌電源のうちいずれか少なくとも１つによって充電を行う、こととしてもよい。こうすれば、これらの電源により蓄電池の充電を行うことができる。
【００１７】
また、この充電管理システムにおいて、前記充電部は、前記車輌電源から直流電力の供給を受けた場合には、該直流電流による充電を行う、こととしてもよい。これによれば、充電管理システムは直流電源からの充電にも対応することができる。
【００１８】
また、これらの充電管理システムにおいて、前記充電部は、前記商用電源、前記太陽光発電装置、前記携帯用発動発電機、及び前記車輌電源からそれぞれ供給される電流を受電するためのインターフェイスを有する、こととしてもよい。これによれば、インターフェイスを介して各電源から電力供給を受けることができる。
【００１９】
また、上記各充電管理システムにおいて、前記蓄電池により駆動される負荷には、携帯電話及び携帯電話不感地用通信アンテナが含まれる、こととしてもよい。これによれば、上記蓄電池を携帯電話及び携帯電話不感地用通信アンテナの電源としても使用することができる。
【００２０】
また、上記各充電管理システムにおいて、前記蓄電池の絶対容量を取得する絶対容量取得部と、前記絶対容量取得部により取得された絶対容量と、前記放電容量取得部により取得された放電容量と、に基づき、前記蓄電池の残存容量を示す残存容量情報を表示する表示部と、をさらに含むこととしてもよい。これによれば、保守者は、あとどれくらいの時間蓄電池を使用できるか、知ることができる。
【００２１】
また、上記各充電管理システムにおいて、前記充電部は、前記放電容量取得部により取得された放電容量の所定数倍を、前記充電容量とする、こととしてもよい。充電容量を放電容量と同じにすると、満充電にならない場合がある。この充電管理システムによれば、例えば充電容量を放電容量の１０４％とすることができるので、満充電とすることができる。
【００２２】
また、この充電管理システムにおいて、前記所定数の入力を受け付ける所定数入力受付部、をさらに含み、前記充電部は、前記放電容量取得部により取得された放電容量に前記所定数入力受付部により入力を受け付けた所定数を乗算してなる値を、前記充電容量とする、こととしてもよい。これによれば、充電容量を放電容量の何％とするかを保守者が決定することができるので、より適切に蓄電池を満充電とするための充電容量を決定することができるようになる。
【００２３】
また、本発明に係る充電管理方法は、蓄電池の充電を管理するための充電管理方法であって、前記蓄電池の放電容量を取得する放電容量取得ステップと、前記放電容量取得ステップにおいて取得された放電容量に応じた充電容量で、前記蓄電池の充電を行う充電ステップと、を含むことを特徴とする。
【発明の効果】
【００２４】
充電時点までの放電容量に応じた充電容量での充電を行うことが可能になる。
【発明を実施するための最良の形態】
【００２５】
本発明の実施の形態について、図面を参照しながら説明する。
【００２６】
図１は、本実施の形態に係る直流照明システム１０のシステム構成及び機能ブロックを示す図である。同図に示すように、直流照明システム１０は、投光器１１、充電器１２、蓄電池１３、温度計１４、車輌電源１５、商用電源１６、太陽光発電装置１７、携帯発動発電機１８、管理用ＰＣ１９、及び充電管理システム２０を含んで構成される。
【００２７】
投光器１１は、光線を柱状に一本に集めて照らす装置であり、例えば夜間の工事現場などで使用されるものである。充電器１２は、携帯電話及び携帯電話不感地用通信アンテナの充電を行う装置である。これらはいずれも、充電管理システム２０により供給される所定電圧の直流電流をその電源としている。
【００２８】
蓄電池１３はサイクル用制御弁式鉛蓄電池であり、その周辺の気温（環境温度）によって自己放電量が異なるという特徴を有している。蓄電池１３は充電管理システム２０と接続されており、充電管理システム２０により供給される直流電流により充電されるとともに、充電管理システム２０に対して直流電流を供給する。
【００２９】
温度計１４は、蓄電池１３の環境温度を測定し、充電管理システム２０に出力する。
【００３０】
車輌電源１５は車輌の駆動用エンジンであり、該駆動用エンジンの動作により発電し、充電管理システム２０に対して直流電流を供給する。商用電源１６は電力会社の発電所であり、電力線ネットワークを介し、充電管理システム２０に対して交流電流を供給する。太陽光発電装置１７はソーラーパネルを備えており、太陽光など発電可能となる光が存在する場合にのみ発電を行い、充電管理システム２０に対して直流電流を供給する。携帯発動発電機１８は携帯型の発動発電機であり、内燃機関の動作により発電し、充電管理システム２０に対して交流電流を供給する。
【００３１】
管理用ＰＣ１９は充電管理システム２０に接続され、充電管理システム２０の処理を制御するために用いられるコンピュータである。
【００３２】
充電管理システム２０は、蓄電池１３、車輌電源１５、商用電源１６、太陽光発電装置１７、携帯発動発電機１８のいずれか少なくとも１つから供給される電力を、投光器１１又は充電器１２のうち少なくとも１つに対して供給する。また、蓄電池１３の絶対容量及び放電容量を管理し、必要に応じ車輌電源１５、商用電源１６、太陽光発電装置１７、携帯発動発電機１８から供給される電力による蓄電池１３の充電を行う。以下、充電管理システム２０の機能の詳細について説明する。
【００３３】
充電管理システム２０は、図１に示すように、機能的にＤＣ／ＤＣコンバータ２１、ＡＣ／ＤＣコンバータ２２、ＤＣ／ＤＣコンバータ２３、ＡＣ／ＤＣコンバータ２４、切替器２５乃至２８、電流測定器２９、管理部３０、表示部３１、記憶部３２、管理用ＰＣ入出力部３３を含んで構成される。さらに、管理部３０は内部的に、絶対容量取得部４０、所定数入力受付部４１、充電部４２、充電容量算出部４３、放電容量取得部４４を含んで構成され、充電容量算出部４３はさらに充電電流値取得部４３１を、放電容量取得部４４はさらに放電電流値取得部４４１及び平均環境温度取得部４４２を含んで構成される。
【００３４】
まず、投光器１１又は充電器１２に対する電力供給について説明する。ＤＣ／ＤＣコンバータ２１は車輌電源１５とのインターフェイスを有しており、車輌電源１５から供給される直流電流を上記所定電圧の直流電流に変換し、切替器２５に対して出力する。ＡＣ／ＤＣコンバータ２２は商用電源１６とのインターフェイスを有しており、商用電源１６から供給される交流電流を、上記所定電圧の直流電流に変換し、切替器２５に対して出力する。ＤＣ／ＤＣコンバータ２３は太陽光発電装置１７とのインターフェイスを有しており、太陽光発電装置１７から供給される直流電流を、上記所定電圧の直流電流に変換し、切替器２５に対して出力する。ＡＣ／ＤＣコンバータ２４は携帯発動発電機１８とのインターフェイスを有しており、携帯発動発電機１８から供給される交流電流を、上記所定電圧の直流電流に変換し、切替器２５に対して出力する。
【００３５】
投光器１１又は充電器１２を使用する場合、管理部３０は、切替器２５乃至切替器２８により、ＤＣ／ＤＣコンバータ２１、ＡＣ／ＤＣコンバータ２２、ＤＣ／ＤＣコンバータ２３、ＡＣ／ＤＣコンバータ２４、及び蓄電池１３のうちの１つを投光器１１又は充電器１２と接続する。こうして、投光器１１又は充電器１２に直流電流が供給される。
【００３６】
蓄電池１３を充電する場合、管理部３０は、切替器２５乃至切替器２８により、ＤＣ／ＤＣコンバータ２１、ＡＣ／ＤＣコンバータ２２、ＤＣ／ＤＣコンバータ２３、及びＡＣ／ＤＣコンバータ２４のうちの１つを蓄電池１３と接続する。こうして、蓄電池１３に直流電流が供給される。
【００３７】
次に、蓄電池１３の充電について説明する。まず、放電容量取得部４４は、蓄電池１３の放電容量を取得する。具体的には、電流測定器２９は蓄電池に入出力する電流を常時計測し、その計測結果を管理部３０に入力しており、放電電流値取得部４４１は、この測定結果により、蓄電池１３の放電電流値を取得する。そして放電容量取得部４４は、放電電流値取得部４４１が取得した放電電流値と、蓄電池１３の放電の経過時間と、に基づき、蓄電池１３の放電容量のうち自己放電分を除く部分（以下、負荷放電容量と称する。）を取得する。
【００３８】
また、平均環境温度取得部４４２は蓄電池の平均環境温度を取得する。そして放電容量取得部４４は、平均環境温度取得部４４２が取得した平均環境温度と、該平均環境温度に対応付けて後述する記憶部３２に記憶される自己放電容量と、に基づき、蓄電池１３の放電容量のうち自己放電分を取得する。以下、詳細に説明する。
【００３９】
記憶部３２には、この平均環境温度と蓄電池１３の所定期間あたりの自己放電容量とが対応付けて記憶される。図２は、記憶部３２に記憶される情報の具体的な例である。実際には、充電してからの経過日数に応じて自己放電容量は徐々に低下するが、ここでは近似的に、１日あたりの自己放電量を充電してからの経過日数（０〜２９日、３０日〜５９日、６０日以上）により分類している。平均環境温度取得部４４２は一日の平均環境温度を毎日取得しており、充電してからの経過期間の各日の平均環境温度に基づき、該経過期間の平均環境温度を取得する。放電容量取得部４４は、こうして取得される平均環境温度が例えば５℃であれば、該経過期間の自己放電容量として０．６６６ＡＨを取得する。
【００４０】
放電容量取得部４４は、こうして取得される負荷放電容量及び自己放電容量を合算することにより、蓄電池１３の放電容量を取得する。
【００４１】
充電部４２は、放電容量取得部４４により取得された放電容量に応じた充電容量で、蓄電池１３の充電を行う。この充電容量は、充電容量算出部４３により算出される。以下、充電容量算出部４３の機能について説明する。
【００４２】
充電電流値取得部４３１は、電流測定器２９から入力される上記測定結果により蓄電池１３の充電電流値を取得する。充電容量算出部４３は、充電電流値取得部４３１により取得された充電電流値と、充電部４２により充電が開始されてからの経過時間と、に基づき、充電容量を算出する。具体的には、充電電流値を積算することにより、充電容量を算出する。
【００４３】
充電部４２は、充電容量算出部４３により算出された充電容量と、放電容量取得部４４により取得された放電容量と、に応じたタイミングで充電を停止する。より具体的には、放電容量取得部４４により取得された放電容量の所定数倍（例えば１．０４倍）を充電容量とし、この充電容量に達したタイミングで、充電を停止する。
【００４４】
所定数入力受付部４１は、ユーザによる上記所定数の入力を受け付ける。すなわち、ユーザが管理用ＰＣ１９において上記所定数を入力すると、その所定数は所定数入力受付部４１により受け付けられる。充電部４２は、放電容量取得部４４により取得された放電容量に所定数入力受付部４１により入力を受け付けた所定数を乗算してなる値を充電容量としている。
【００４５】
以上が蓄電池１３の充電についての説明である。なお、充電管理システム２０はさらに、蓄電池１３の絶対容量に基づき、蓄電池１３の残存容量を取得してユーザに表示している。
【００４６】
具体的には、絶対容量取得部４０は蓄電池１３の絶対容量を取得している。そして表示部３１は、絶対容量取得部４０により取得された絶対容量と、放電容量取得部４４により取得された放電容量と、に基づき、蓄電池１３の残存容量を示す残存容量情報を算出している。また、表示部３１はディスプレイ又はＬＥＤなどの表示手段を備えており、上記算出した残存容量情報をこの表示手段に表示することにより、ユーザに対して表示している。
【００４７】
以上説明した管理部３０の処理を、処理フロー図を参照しながら再度より詳細に説明する。
【００４８】
図３は管理部３０の処理を示す処理フロー図である。同図に示すように、管理部３０は、充電用電源（車輌電源１５、商用電源１６、太陽光発電装置１７、携帯発動発電機１８のうちいずれか少なくとも１つ）が接続された場合にＳ２以下の処理を行う（Ｓ１）。充電用電源が接続された場合、管理部３０は放電容量の取得を要求する（Ｓ２）。この要求に応じた放電容量の取得については、後ほど図４を参照しながら説明する。
【００４９】
放電容量が取得されると、管理部３０は蓄電池１３の充電を開始し、充電を行っている間、充電電流値を取得する（Ｓ３）。そして、以下の式（１）により充電容量を算出する（Ｓ４）。なお、ｔは経過時間を示し、δｔはその変量である。
充電容量＝充電容量＋充電電流値×δｔ    ・・・（１）
【００５０】
Ｓ４において算出される充電容量が以下の式（２）を満たす場合、管理部３０は充電を終了する。一方、満たさない場合には、処理をＳ３に戻す（Ｓ５）。
充電容量≧放電容量×１．０４    ・・・（２）
【００５１】
図４も管理部３０の処理を示す処理フロー図である。同図は、Ｓ２においてされた要求に応じてなされる放電容量の取得処理を示している。充電が終了すると、管理部３０は放電容量の測定を開始する。そして、定期的に放電電流値を取得し（Ｓ１０）、以下の式（３）により放電容量を算出する（Ｓ１１）。この処理を、上記Ｓ２の要求がなされるまで繰り返す（Ｓ１２）。
放電容量＝放電容量＋放電電流値×δｔ    ・・・（３）
【００５２】
上記Ｓ２の要求がなされると、管理部３０は放電容量の測定を開始してからの時間（放電時間）を取得するとともに（Ｓ１３）、放電容量の測定を開始してからの平均環境温度を取得する（Ｓ１４）。そして、記憶部３２に記憶される情報を利用し、放電時間と平均環境温度に基づいて自己放電容量を取得する（Ｓ１５）。さらに、Ｓ１１において取得されていた放電容量に自己放電容量を加算することにより放電容量を算出し（Ｓ１６）、上記要求に対する出力とする（Ｓ１７）。
【００５３】
以上説明したように、充電管理システム２０によれば、充電時点までの放電容量に応じた充電容量での充電を行うことが可能になる。また、蓄電池１３の放電容量及び充電容量に応じたタイミングで充電を停止するので、充電時点までの放電容量に応じた充電容量での充電を行うことが可能になる。
【００５４】
さらに、充電管理システム２０によれば、放電電流値に基づいて放電容量を取得することができるとともに、自己放電容量にも基づいて放電容量を取得することができる。
【図面の簡単な説明】
【００５５】
【図１】本発明の実施の形態に係る直流照明システムのシステム構成及び機能ブロックを示す図である。
【図２】本発明の実施の形態に係る自己放電量テーブルを示す図である。
【図３】本発明の実施の形態に係る直流照明システムの処理フローを示す図である。
【図４】本発明の実施の形態に係る直流照明システムの処理フローを示す図である。
【符号の説明】
【００５６】
１０  直流照明システム、１１  投光器、１２  充電器、１３  蓄電池、１４  温度計、１５  車輌電源、１６  商用電源、１７  太陽光発電装置、１８  携帯発動発電機、１９  管理用ＰＣ、２０  充電管理システム、２１，２３  ＤＣ／ＤＣコンバータ、２２，２４  ＡＣ／ＤＣコンバータ、２５，２６，２７，２８  切替器、２９  電流測定器、３０  管理部、３１  表示部、３２  記憶部、３３  管理用ＰＣ入出力部、４０  絶対容量取得部、４１  所定数入力受付部、４２  充電部、４３  充電容量算出部、４４  放電容量取得部、４３１  充電電流値取得部、４４１  放電電流値取得部、４４２  平均環境温度取得部。
【図１】
2008097941.tif 000003
【図２】
2008097941.tif 000004
【図３】
2008097941.tif 000005
【図４】
2008097941.tif 000006